(57)【要約】  異物除去構造は、挿入坑と、電池側端子と、押出部とを備える。挿入坑は、電池パックに設けられ、電池パックの装着方向に沿って延びるとともに、その延び方向一端側に充電器側端子が進入可能な開口部が形成されている。電池側端子は、挿入坑内に設けられ、電池パックが充電器に装着されたときに開口部から挿入坑内に進入した充電器側端子と接触する。押出部は、電池パックにおける開口部より装着方向前進側に設けられ、装着方向と交差する面を有する。異物除去構造は、電池側端子の装着方向前進側と充電器側端子とが接触したときに、充電器側端子より装着方向前進側にずれた部位に押出部が位置するように構成されている。
2012029850.tif 000002
【特許請求の範囲】
【請求項１】
電動工具用の電池パックが着脱自在に装着される充電器の充電器側端子に付着した異物を除去するための異物除去構造であって、
前記電池パックに設けられ、前記電池パックの装着方向に沿って延びるとともに、その延び方向一端側に前記充電器側端子が進入可能な開口部が形成された挿入坑と、
前記挿入坑内に設けられ、前記電池パックが前記充電器に装着されたときに前記開口部から前記挿入坑内に進入した前記充電器側端子と接触する電池側端子と、
前記電池パックにおける前記開口部より前記装着方向前進側に設けられ、前記装着方向と交差する面を有する押出部とを備え、
当該異物除去構造は、前記電池側端子の前記装着方向前進側と前記充電器側端子とが接触したときに、前記充電器側端子より前記装着方向前進側にずれた部位に前記押出部が位置するように構成されている、異物除去構造。
【請求項２】
請求項１に記載の異物除去構造であって、
前記押出部の前記面から前記電池側端子までの寸法は、前記充電器側端子における前記装着方向と平行な部位の寸法より大きい、異物除去構造。
【請求項３】
請求項１又は２に記載の異物除去構造であって、
前記充電器側端子は、前記充電器の基台面から前記装着方向と直交する方向に突出し、
前記押出部は、前記電池パックの外壁面から前記装着方向と直交する方向に突出した形状であり、
さらに、前記電池パックが前記充電器に装着された場合においては、前記電池パックの外壁面と前記充電器の基台面とが互いに対向するとともに、前記押出部の突出方向先端が、前記充電器側端子の突出方向先端より前記基台面側に位置している、異物除去構造。
【請求項４】
請求項３に記載の異物除去構造であって、
前記充電器側端子に対して前記装着方向前進側に位置し、前記基台面から前記充電器側端子の突出方向と平行な方向に突出して前記充電器側端子を保持する電気絶縁材料からなる保持部を備え、
前記基台面から前記保持部の突出方向先端までの寸法である保持部高さが、前記基台面から前記充電器側端子の突出方向先端までの寸法である端子高さ以下である、異物除去構造。
【請求項５】
請求項３に記載の異物除去構造であって、
前記保持部における前記充電器側端子側の保持部高さは、前記充電器側端子における前記保持部側の端子高さ以下であり、
前記保持部における前記充電器側端子側には、前記充電器側端子から前記装着方向前進側に遠ざかるに従って徐々に前記保持部高さが大きくなるテーパ面が設けられ、
前記保持部高さは、前記基台面から前記保持部の突出方向先端までの寸法であり、
前記端子高さは、前記基台面から前記充電器側端子の突出方向先端までの寸法である、異物除去構造。
【請求項６】
請求項４又は５に記載の異物除去構造であって、
前記挿入坑は、前記電池側端子を挟んで互いに対向して設けられて前記開口部から前記装着方向後退側に延びる一対の側壁部を有しており、
さらに、前記押出部は、前記一対の側壁部のうちの一方に対応する部位に設けられている、異物除去構造。
【請求項７】
請求項６に記載の異物除去構造であって、
前記押出部は、前記一対の側壁部の一方から前記装着方向前進側に延びる突条として構成されている、異物除去構造。
【請求項８】
請求項７に記載の異物除去構造であって、
前記保持部は、前記押出部に対応する部位からずれた位置に設けられている、異物除去構造。
【発明の詳細な説明】
【関連出願の相互参照】
【０００１】
本国際出願は、２０１０年８月３１日に日本国特許庁に出願された日本国特許出願第２０１０−１９４３４４号に基づく優先権を主張するものであり、日本国特許出願第２０１０−１９４３４４号の全内容を参照により本国際出願に援用する。
【技術分野】
【０００２】
本発明は、電動工具用の電池パック及びその電池パックが着脱自在に装着される充電器に適用され、充電器側端子に付着した異物を除去するための異物除去構造に関する。
【背景技術】
【０００３】
例えば、下記特許文献１に記載の充電器では、充電用端子の上面側を覆うスライドカバーを設けて充電用端子に異物が付着することを防止している。
【先行技術文献】
【特許文献】
【０００４】
【特許文献１】特開２００４−１４７３６０号公報
【発明の概要】
【発明が解決しようとする課題】
【０００５】
しかし、スライドカバーのみで充電用端子に異物が付着することを防止することが難しい場合があり、仮に充電用端子に異物が付着した場合には、その異物を除去した後、電池パックを充電器に装着する必要がある。【０００６】
本発明は、上記点に鑑み、充電器側端子に異物が付着した場合であっても、その異物を容易に除去することが可能な異物除去構造を提供することを目的とする。
【課題を解決するための手段】
【０００７】
本発明は、電動工具用の電池パックが着脱自在に装着される充電器の充電器側端子に付着した異物を除去するための異物除去構造であって、電池パックに設けられ、電池パックの装着方向に沿って延びるとともに、その延び方向一端側に充電器側端子が進入可能な開口部が形成された挿入坑と、挿入坑内に設けられ、電池パックが充電器に装着されたときに開口部から挿入坑内に進入した充電器側端子と接触する電池側端子と、電池パックにおける開口部より装着方向前進側に設けられ、装着方向と交差する面を有する押出部とを備え、当該異物除去構造は、電池側端子の装着方向前進側と充電器側端子とが接触したときに、充電器側端子より装着方向前進側にずれた部位に押出部が位置するように構成されている。【０００８】
本発明では、充電器側端子に異物が付着している状態で電池パックが充電器に装着されると、電池側端子が充電器側端子に接触する前に押出部が充電器側端子に付着している異物に接触するので、電池パックが装着方向前進側に進むと、これに応じて異物が押出部で押され、充電器側端子からずれた部位まで押し出される。【０００９】
したがって、本発明では、電池パックを充電器に装着する際に、押出部により充電器側端子に付着している異物が充電器側端子からずれた部位まで押し出されるので、充電器側端子に異物が付着した場合であっても、その異物を容易に除去することができる。【００１０】
なお、押出部の面から電池側端子までの寸法は、充電器側端子における装着方向と平行な部位の寸法より大きくてもよい。
また、充電器側端子は、充電器の基台面から装着方向と直交する方向に突出してもよく、押出部は、電池パックの外壁面から装着方向と直交する方向に突出した形状であってもよい。さらに、電池パックが充電器に装着された場合においては、電池パックの外壁面と充電器の基台面とが互いに対向するとともに、押出部の突出方向先端が、充電器側端子の突出方向先端より基台面側に位置してもよい。【００１１】
また、異物除去構造は、充電器側端子に対して装着方向前進側に位置し、基台面から充電器側端子の突出方向と平行な方向に突出して充電器側端子を保持する電気絶縁材料からなる保持部を備えてもよく、基台面から保持部の突出方向先端までの寸法である保持部高さが、基台面から充電器側端子の突出方向先端までの寸法である端子高さ以下であってもよい。【００１２】
あるいは、保持部における充電器側端子側の保持部高さは、充電器側端子における保持部側の端子高さ以下であってもよく、さらに、保持部における充電器側端子側には、充電器側端子から装着方向前進側に遠ざかるに従って徐々に保持部高さが大きくなるテーパ面が設けられてもよい。【００１３】
また、挿入坑は、電池側端子を挟んで互いに対向して設けられて開口部から装着方向後退側に延びる一対の側壁部を有してもよく、さらに、押出部は、一対の側壁部のうちの一方に対応する部位に設けられてもよい。【００１４】
また、押出部は、一対の側壁部の一方から装着方向前進側に延びる突条として構成されてもよい。
さらに、保持部は、押出部に対応する部位からずれた位置に設けられてもよい。【００１５】
充電器側端子及び電池側端子は、例えば、充電用端子及び通信用端子を含む、どのような端子であってもよい。
【図面の簡単な説明】
【００１６】
【図１】本発明の第１実施形態に係る電動工具の外観図である。
【図２Ａ−２Ｂ】第１実施形態に係る充電器の外観を図示し、図２Ａは、充電器の全体斜視図であり、図２Ｂは、充電器における充電器側端子の拡大斜視図である。
【図３Ａ−３Ｂ】第１実施形態に係る電池パックの外観を図示し、図３Ａは、電池パックの全体斜視図であり、図３Ｂは、電池パックにおける押出部等の拡大斜視図である。
【図４Ａ】第１実施形態に係る電池パックが充電器に装着された場合における充電器側端子及び押出部の断面図である。
【図４Ｂ】第１実施形態に係る充電器側端子の側面図である。
【図５】電池パックが充電器に装着されていく状態を示す説明図である。
【図６】電池パックが充電器に装着されていく状態を示す説明図である。
【図７】電池パックが充電器に装着された状態を示す説明図である。
【図８Ａ−８Ｄ】充電器側端子に付着した異物が除去されていく状態を示す図である。
【図９Ａ−９Ｂ】本発明の第２実施形態に係る電池パックの外観を図示し、図９Ａは、電池パックの全体斜視図であり、図９Ｂは、電池パックにおける押出部等の拡大斜視図である。
【図１０Ａ−１０Ｂ】第２実施形態に係る充電器の外観を図示し、図１０Ａは、充電器の全体斜視図であり、図１０Ｂは、充電器における充電器側端子の拡大斜視図である。
【図１１】第２実施形態に係る電池パックが充電器に装着された状態を示す説明図である。
【図１２Ａ−１２Ｂ】本発明の第３実施形態に係る充電器側端子の側面図である。
【図１３】本発明の第４実施形態に係る電池パックの外観斜視図である。
【符号の説明】
【００１７】
１…電動工具、２…ハンドル部、３…工具本体部、１０…電池パック、１１…装着部、１２…挿入坑、１２Ａ…開口部、１２Ｂ…側壁部、１３…充電用端子、１３Ａ…通信用端子、１４…押出部、１４Ａ…前端面、１５…カバー、２０…充電器、２１…装着部、２２…充電用端子、２３…通信用端子、２４…カバー、２５…保持部、２５Ａ…隙間、２５Ｂ…テーパ面、４０…異物
【発明を実施するための形態】
【００１８】
以下に本発明に係るいくつかの実施形態を図面と共に説明する。
以下の実施形態では、本発明に係る異物除去構造を電動ドライバーや電動ドリル等の電動工具用の電池パック及び充電器に適用している。
【００１９】
（第１実施形態）
１．電池パック及び充電器の概略
図１に示すように、本第１実施形態における電動工具１は、作業者が把持するハンドル部２と、ハンドル部２の長手方向一端側に設けられた工具本体部３とを備え、工具本体部３に電動モータ（図示せず。）が収納されている。
【００２０】
そして、ハンドル部２の長手方向他端側には、電動工具１に電力を供給する電池パック１０が離脱可能に装着されており、この電池パック１０は、ハンドル部２の長手方向と交差する方向（例えば直交する方向）に移動させることにより電動工具１に対して着脱することができる。
【００２１】
また、電池パック１０を充電するための充電器２０には、図２Ａに示すように、電池パック１０が着脱自在に装着される装着部２１が設けられており、この装着部２１には、電池パック１０に電力を供給する一対の金属製の充電用端子２２が設けられている。
【００２２】
図２Ａに記載されている上下方向、左右方向、及び前後方向は、以下の説明を容易にするために便宜的に付したものであり、現実の使用状態においては、必ずしも図示された方向に限定されるものではない。
【００２３】
なお、一対の充電用端子２２のうち紙面右側の充電用端子２２は正（＋）極用の端子であり、紙面左側の充電用端子２２は負（−）極用の端子であり、一対の充電用端子２２間に設けられた複数の通信用端子２３は、電池パック１０と充電器２０との間で信号を送受信するための端子である。以下、特に断りをした場合を除き、充電用端子２２とは、一対の充電用端子２２を意味するものとする。
【００２４】
２．充電器用の異物除去構造
電池パック１０の装着部１１は、図３Ａに示すように、立方体状の電池パック１０の上面部に設けられており、この装着部１１を充電器２０又は電動工具１（ハンドル部２）に装着することにより、電池パック１０と充電器２０又は電動工具１とが電気的に接続される。
【００２５】
ここで、図３Ａに記載されている上下方向、左右方向、及び前後方向は、説明を容易にするために便宜的に付したものであり、現実の使用状態においては、必ずしも図示された方向に限定されるものではない。
【００２６】
また、電池パック１０が充電器２０に装着された際には、充電器２０の装着部２１と電池パック１０の装着部１１とが互いに対向した状態となるので、例えば、充電器２０の装着部２１が、図２Ａに示すように充電器２０の上面側に位置する場合には、図４Ａに示すように、電池パック１０の装着部１１は下方を向くこととなる。
【００２７】
ここで、図４Ａに記載されている上下方向及び前後方向は、理解を容易にするために図２Ａ及び図３Ａに記載された上下方向及び前後方向と一致するように便宜的に付したものであり、現実の使用状態においては、必ずしも図示された方向に限定されるものではない。
【００２８】
そして、電池パック１０の装着部１１には、図３Ａに示すように、電池パック１０の装着方向（本実施形態では、図３Ａに示す前後方向）に沿って延びる複数の挿入坑１２が設けられており、これら挿入坑１２の延び方向一端側（本実施形態では、図３Ａに示す前側）には、充電用端子２２及び通信用端子２３（以下、これら端子を「充電器側端子２２，２３」とも総称する）が進入可能な開口部１２Ａが設けられている（図３Ｂ参照）。
【００２９】
また、各挿入坑１２内には、金属製の充電用端子１３又は金属製の通信用端子１３Ａが設けられている。充電用端子１３は、電池パック１０が充電器２０に装着されたときに開口部１２Ａから挿入坑１２内に進入した充電用端子２２と接触する端子である。通信用端子１３Ａは、電池パック１０が充電器２０に装着されたときに開口部１２Ａから挿入坑１２内に進入した通信用端子２３に接触する端子である。
【００３０】
なお、挿入坑１２の各々は、図３Ｂに示すように、装着方向と直交する方向（図３Ｂの左右方向）において、充電用端子１３又は通信用端子１３Ａを挟んで互いに対向する一対の側壁部１２Ｂによって形成された溝である。側壁部１２Ｂの各々は、開口部１２Ａから装着方向後退側（図３Ａの後側）に延び、充電用端子１３及び通信用端子１３Ａ（以下、これら端子を「電池側端子１３，１３Ａ」とも総称する）はそれぞれ、対応する一対の側壁部１２Ｂによって保護されている。
【００３１】
つまり、本実施形態に係る電池パック１０では、電池側端子１３，１３Ａが挿入坑１２内に配設されているので、電池パック１０に作用する外力は側壁部１２Ｂにて受けることとなる。このため、電池側端子１３，１３Ａに外力が直接的に作用することを抑制できるので、電池パック１０が粗野に扱われた場合であっても、電池側端子１３，１３Ａが損傷してしまうことを抑制できる。
【００３２】
そして、電池パック１０の装着部１１における開口部１２Ａよりも装着方向前進側、つまり開口部１２Ａより前方側には、装着方向と直交する面１４Ａ（前端面１４Ａ）を各々有する複数の押出部１４が設けられており、これら押出部１４及び側壁部１２Ｂは、樹脂等の絶縁材料にてカバー１５と共に一体成形されている。
【００３３】
また、押出部１４は、突条として形成されている。より具体的には、押出部１４はそれぞれ、装着部１１を構成するカバー１５から装着方向と直交する方向（図３Ｂにおける上下方向）に突出するとともに、側壁部１２Ｂに対応する部位から装着方向前進側に延びている。
【００３４】
また、充電器側端子２２，２３はそれぞれ、図２Ｂに示すように、装着部２１を構成する樹脂製のカバー２４から装着方向と直交する方向（図２Ｂにおける上下方向）に突出するとともに、装着方向に拡がる板状に構成されている。尚、本実施形態では、説明を簡単にするために、充電器側端子２２，２３は、互いに同一の形状及び寸法となるように構成されているが、互いに異なる形状及び寸法となるように構成されていてもよい。
【００３５】
このため、電池パック１０が充電器２０に装着された状態では、電池パック１０のカバー１５（装着部１１）と充電器２０のカバー２４（装着部２１）とが互いに対向することとなる。さらに、図４Ａに示すように、電池パック１０が充電器２０に装着された状態では、押出部１４はカバー１５から充電器２０のカバー２４側に突出した状態となり、一方、充電器側端子２２，２３（図４Ａでは、充電用端子２２のみが図示されている）はカバー２４から電池パック１０のカバー１５側に突出した状態となる。
【００３６】
そして、押出部１４の前端面１４Ａから電池側端子１３，１３Ａまでの寸法Ｌ１は、充電器側端子２２，２３における装着方向と平行な部位の寸法Ｌ２より大きい寸法に設定されているため、電池側端子１３，１３Ａにおける装着方向前進側と充電器側端子２２，２３とが接触したときには、押出部１４の前端面１４Ａは、充電器側端子２２，２３より装着方向前進側（図４Ａにおいては前方側）にずれた部位に位置することとなる。
【００３７】
また、押出部１４の突出寸法Ｌ３は、電池パック１０が充電器２０に装着された状態において、押出部１４の突出方向先端１４Ｂが、充電器側端子２２，２３の突出方向先端（図４Ａでは、充電用端子２２の突出方向先端２２Ａのみが図示されている）より下方側（カバー２４側）に位置するような寸法に設定されている。本実施形態では、押出部１４と充電器側端子２２，２３との重複寸法Ｌ４は、充電器側端子２２，２３の突出寸法Ｌ５の約２０％以上となるように設定されている。しかしながら、重複寸法Ｌ４は、本実施形態における寸法に限定されるものではなく、どのように設定されていてもよい。
【００３８】
ところで、充電器側端子２２，２３は、図２Ｂに示すように、インサート成形等によりカバー２４に固定されているとともに、その装着方向前進側（図２Ｂでは前端側）に設けられた複数の保持部２５により保持されており、これら保持部２５は、カバー２４から充電器側端子２２，２３の突出方向と平行な方向に突出してカバー２４と一体成形されたブロック状に形成されている。
【００３９】
また、保持部２５はそれぞれ、充電器側端子２２，２３の各々に対応して設けられており、各保持部２５間には、押出部１４が通過可能な隙間２５Ａが設けられている（図７参照）。つまり、本実施形態では、各保持部２５は、充電器側端子２２，２３の各々の前端側を保持するとともに、電池パック１０が充電器２０に装着される際に、押出部１４との干渉を避けるべく、押出部１４に対応する部位からずれた位置に設けられていることとなる。
【００４０】
保持部２５は、電池パック１０が充電器２０に装着された場合に、充電器側端子２２，２３及び電池パック１０の開口部１２Ａを覆うように形成されているため、電池パック１０が充電器２０に装着された状態においては、装着方向前進（隙間２５Ａ）側から充電器側端子２２，２３及び電池側端子１３，１３Ａに触れることはできない。
【００４１】
そして、保持部２５における充電器側端子２２，２３側の保持部高さｈ１は、図４Ｂに示すように、充電器側端子２２，２３における保持部２５側の端子高さＬ５以下であり（図４Ｂでは、充電用端子２２のみが図示されている）、保持部２５における充電器側端子２２，２３側には、充電器側端子２２，２３から装着方向前進側（図４Ｂにおいては前方側）に遠ざかるに従って徐々に保持部高さｈ２が大きくなるテーパ面２５Ｂが設けられている。
【００４２】
ここで、保持部高さとは、カバー２４から保持部２５の突出方向先端までの寸法をいい、端子高さとは、カバー２４から充電器側端子２２，２３の突出方向先端までの寸法をいう。
【００４３】
３．本実施形態に係る充電器用の異物除去構造の特徴
本実施形態では、電池パック１０における開口部１２Ａより装着方向前進側に押出部１４が設けられているので、図５，６，７に順に示されるように、電池パック１０の充電器２０への装着が進行するにつれて、押出部１４の前端面１４Ａは、装着方向前進側に移動していく。
【００４４】
このため、仮に、充電器側端子２２，２３のうちの少なくとも一部の端子に異物４０が付着している状態（図８Ａ及び図８Ｂ参照）で電池パック１０が充電器２０に装着されると、電池側端子１３，１３Ａが充電器側端子２２，２３に接触する前に押出部１４が充電器側端子２２，２３に付着している異物４０に接触する。このため、図８Ｃ及び図８Ｄに示すように、電池パック１０が装着方向前進側に進むと、これに応じて異物４０が押出部１４で押され、充電器側端子２２，２３からずれた部位まで押し出される。
【００４５】
したがって、本実施形態では、電池パック１０を充電器２０に装着する際に、押出部１４が充電器側端子２２，２３に付着している異物４０が充電器側端子２２，２３からずれた部位まで押し出されるので、充電器側端子２２，２３に異物４０が付着した場合であっても、その異物４０を容易に除去することができる。
【００４６】
なお、本実施形態では、保持部２５は電気絶縁材料である樹脂にて構成されているので、異物４０を少なくとも保持部２５まで移動させれば、異物４０が充電器側端子２２，２３に付着することに起因する電気的な不具合の発生を未然に抑制できる。
【００４７】
また、本実施形態では、充電器側端子２２，２３は、充電器２０のカバー２４から装着方向と直交する方向に突出し、押出部１４は、電池パック１０のカバー１５から充電器側端子２２，２３の突出方向と平行な方向に突出した形状である。さらに、電池パック１０が充電器２０に装着された場合においては、押出部１４の突出方向先端１４Ｂは、図４Ａに示すように、充電器側端子２２，２３の突出方向先端よりカバー２４側に位置しているので、充電器側端子２２，２３の突出方向先端に付着した異物４０を確実に充電器側端子２２，２３からずれた領域まで移動させることができる（図８Ｄ参照）。
【００４８】
また、本実施形態では、保持部２５における充電器側端子２２，２３側には、図４Ｂに示すように、充電器側端子２２，２３から装着方向前進側に遠ざかるに従って徐々に保持部高さが大きくなるテーパ面２５Ｂが設けられているので、保持部２５と充電器側端子２２，２３との間に階段状の段差がなくなり、充電器側端子２２，２３の突出方向先端に付着した異物４０を確実に充電器側端子２２，２３からずれた領域まで移動させることができる（図８Ｄ参照）。
【００４９】
４．発明特定事項と実施形態との対応関係
本実施形態では、カバー１５が本発明における電池パックの外壁面の一例に相当し、カバー２４が本発明における充電器の基台面の一例に相当し、充電用端子２２及び通信用端子２３が本発明における充電器側端子の一例に相当し、充電用端子１３及び通信用端子１３Ａが本発明における電池側端子の一例に相当する。
【００５０】
（第２実施形態）
本実施形態では、図９Ａ及び図９Ｂに示すように、一部の側壁部１２Ｂを装着方向前進側まで延長することにより押出部１４が形成されている。
【００５１】
なお、図１０Ａ及び図１０Ｂは、本実施形態に係る電池パック１０を装着可能な充電器２０を示しており、図１１は本実施形態に係る電池パック１０が充電器２０に装着される状態を示している。
【００５２】
（第３実施形態）
本実施形態では、保持部２５の保持部高さｈ１は、図１２Ａ及び図１２Ｂに示すように、充電器側端子２２，２３における保持部２５側の端子高さＬ５以下となるように設定されている（図１２Ａ及び図１２Ｂでは、充電用端子２２のみが図示されている）。
【００５３】
なお、図１２Ｂでは、保持部高さｈ１を端子高さＬ５以下に設定するとともに、充電器側端子２２，２３から装着方向前進側（図１２Ｂにおいては前方側）に遠ざかるに従って徐々に保持部高さｈ２が小さくなるテーパ面２５Ｃが設けられている。
【００５４】
以上により、本実施形態では、充電器側端子２２，２３の突出方向先端に付着した異物４０を確実に充電器側端子２２，２３からずれた領域まで移動させることができるとともに、押出部１４により保持部２５まで移動させられた異物４０を容易に保持部２５外まで移動させることができる。
【００５５】
（第４実施形態）
上述の実施形態では、押出部１４は、開口部１２Ａから前端面１４Ａまで連続する突条として形成されていたが、本実施形態では、図１３に示すように、装着方向と交差する面１４Ａを有する突起により押出部１４が形成されている。なお、本実施形態に係る押出部１４は、円柱状の突起又は角柱状の突起のいずれであってもよい。
【００５６】
（その他の実施形態）
第１実施形態では、保持部２５は、充電器側端子２２，２３側のみにテーパ面２５Ｂが設けられていたが、本発明はこれに限定されるものではなく、保持部２５の突出方向先端全域をテーパ面２５Ｂとしてもよい。
【００５７】
また、上述の実施形態では、充電器２０の装着部２１が上面側に位置する状態で本発明を説明したが、本発明はこれに限定されるものではない。
また、上述の実施形態では、充電器側端子２２，２３は帯板状に形成され、電池側端子１３，１３Ａは充電器側端子２２，２３の板面を挟み込むような形状であったが、本発明はこれに限定されるものではなく、例えば、これとは逆に、電池側端子１３，１３Ａを帯板状とし、充電器側端子２２，２３を電池側端子１３，１３Ａの板面を挟み込むような形状としてもよい。
【００５８】
また、上述の実施形態では、樹脂製の保持部２５を設けたが、本発明はこれに限定されるものではなく、保持部２５を廃止する又は保持部２５の幅寸法を充電器側端子２２，２３の厚み寸法と同等程度まで小さくする等してもよい。
【００５９】
また、上述の実施形態では、挿入坑１２は、図３Ａにおける上面側が開口した溝状のものであったが、本発明はこれに限定されるものではなく、開口部１２Ａから挿入方向後退側に延びる坑状であってもよい。なお、この場合には、充電器側端子２２，２３は、保持部２５から挿入方向後退側に延びて保持部２５に支持された棒状に形成されることが好ましい。
【００６０】
また、上述の実施形態では、充電器２０は、充電器側端子２２，２３の上方側が開放された構成であったが、本発明はこれに限定されるものではなく、充電器側端子２２，２３の上方側にカバー等の覆い部材を設けてもよい。
【００６１】
また、本発明は、特許請求の範囲に記載された発明の趣旨に合致するものであればよく、上述の実施形態に限定されるものではない。
【図１】
2012029850.tif 000003
【図２Ａ−２Ｂ】
2012029850.tif 000004
【図３Ａ−３Ｂ】
2012029850.tif 000005
【図４Ａ】
2012029850.tif 000006
【図４Ｂ】
2012029850.tif 000007
【図５】
2012029850.tif 000008
【図６】
2012029850.tif 000009
【図７】
2012029850.tif 000010
【図８Ａ−８Ｄ】
2012029850.tif 000011
【図９Ａ−９Ｂ】
2012029850.tif 000012
【図１０Ａ−１０Ｂ】
2012029850.tif 000013
【図１１】
2012029850.tif 000014
【図１２Ａ−１２Ｂ】
2012029850.tif 000015
【図１３】
2012029850.tif 000016
【国際調査報告】
2012029850.tif 000017
2012029850.tif 000018